(57)【要約】      （修正有）【課題】携帯性に優れ且つ取扱いが簡単で安価に実現できる反射機能付きバッジ状装身具を提供する。【解決手段】任意のデザインが施された紙または布が貼付された表面部と、衣服等へ取着するための固定具５０が設けられた裏面部３０と、表面部と裏面部３０とを一体的に接続する側面部４０とを具備するものであって、裏面部３０は高い正反射率を有する材料にて形成されること、または裏面部３０の表面は高い正反射率を有するよう構成されることを特徴とする。【選択図】図１
0003201044.tif 000002
【実用新案登録請求の範囲】
【請求項１】
任意のデザインが施された紙類または布類が貼付された表面部と、
衣服等へ取着するための固定具が設けられた裏面部と、
上記表面部と上記裏面部とを一体的に接続する側面部とを具備するものであって、
上記裏面部は高い正反射率を有する材料にて形成されること、または上記裏面部の表面は高い正反射率を有するよう構成されることを特徴とする反射機能付きバッジ状装身具。
【請求項２】
上記固定具は、クリップ、安全ピン、ストラップ、キーホルダー、チェーンまたはカラビナの少なくとも一つから構成されることを特徴とする請求項１記載の反射機能付きバッジ状装身具。
【考案の詳細な説明】
【技術分野】
【０００１】  本考案は、あらたな機能を付加したバッジ状装身具、特に光を正反射する反射機能を付加したバッジ状の装身具即ち反射機能付きバッジ状装身具に関する。
である。
【背景技術】
【０００２】  昨今の登山ブームや健康志向もあって、幅広い世代で登山が拡がってきている。従来より、万一の遭難対策として、重装備となってしまうが例えばＧＰＳ機器やヘッドライトを登山の際には携行することが推奨されてきた。【０００３】  しかしながら、軽装備で気軽に楽しめるタイプの登山にあっては、装飾品としてのバッジや小物を身に付けたり携行することはあっても、遭難対策用のＧＰＳ機器やヘッドライトを携行していない登山者は多いものである。このような登山者が道に迷ったり遭難したりすると、自分の居場所を知らせる有効な手段を持ち合わせていないことになる。このような場合、大声を出したり大きな音を出したりして居場所を知らせるか、或いは火を焚いて煙で知らせる、といったようなことしか術がなかった。【０００４】  下記特許文献１には、指に装着することができ、指や衣服に損傷を与えず、落下する可能性が少ない指輪缶バッジが開示されている。この指輪缶バッジは、後面にクリップや安全ピンを取付けた缶バッジが例えば安全ピンの針部によって装着時に指が刺さる危険性や装着された衣服に安全ピンの径程度の穴があいてしまったり、或いはクリップが貼り付いているバッジにおいても衣服の損傷を与えたり、落下の危険性が伴っていたことを改善したものである。
【先行技術文献】
【特許文献】
【０００５】
【特許文献１】特開２００１−１０４０２０号公報
【考案の開示】
【０００６】  上述のＧＰＳ機器やヘッドライトの携行は、気軽な登山には不向きであり、普及は容易ではないものである。また、これらの機器の購入やレンタルは高価且つ手入れも大変なものであり、バッテリーや電池切れの問題も懸念されるものである。加えて、ヘッドライトにあっては、日中の時間帯は太陽光の影響により視認され難くいものである。
【０００７】  特許文献１に開示された缶バッジは、装飾用としてのものであり、衣服への損傷防止等を意図したものである。従って、登山時の遭難対策を考慮したものではなく、またそのような思想は示唆すらされてない。
【０００８】  そこで、本考案は上記事情を考慮してなされたもので、携帯性に優れ且つ取扱いが簡単で安価に実現できる反射機能付きバッジ状装身具を提供することを目的とする。
【課題を解決するための手段】
【０００９】  本考案は、上記目的を達成するために以下の通りの構成とすることを特徴とする。
【００１０】（１）任意のデザインが施された紙または布が貼付された表面部と、衣服等へ取着するための固定具が設けられた裏面部と、上記表面部と上記裏面部とを一体的に接続する側面部とを具備するものであって、上記裏面部は高い正反射率を有する材料にて形成されること、または上記裏面部の表面は高い正反射率を有するよう構成されることを特徴とする。
【００１１】（２）上記（１）の構成にあって、上記固定具は、クリップ、安全ピン、ストラップ、キーホルダー、チェーンまたはカラビナの少なくとも一つから構成されることを特徴とする。
【００１２】  上記（１）の構成によれば、例えば遭難時や道に迷った時に、裏面部にて光を反射させることにより、位置を容易に知らせることが可能となる。
【００１３】  上記（２）の構成によれば、固定具として種々のものを選択できるので、反射機能付きバッジ状装身具の利用範囲が拡がるものである。
【考案の効果】
【００１４】  本考案によれば、携帯性に優れ且つ誰でも簡単に反射信号を発信可能となるので、実用的且つ有用なものである。しかも、安価に実現可能であるので、経済的効果をも奏するものである。
また、本考案によれば、表面部のデザインを工夫することでファッションアイテムとしての訴求力を高めることが可能となり、より幅広く普及させることも可能となるものである。
【図面の簡単な説明】
【００１５】
【図１】  本考案の一実施形態に係わるバッジの背面側（裏面部）の平面図である。
【図２】  同実施形態に係わり、バッジの側面図である。
【図３】  同実施形態に係わり、従来のバッジとの光の反射度を比較したデータを表にして纏めて示す図である。
【考案を実施するための形態】
【００１６】  以下、本考案の一実施形態につき、図を参照して説明する。
【００１７】  本実施形態に係わるバッジは、例えば円形状の内部が空洞のアルミ製の缶バッジである。即ち、この缶バッジは、本体１０が表面部２０、裏面部３０及び表面部２０と裏面部３０とを一体的に接続形成する側面部４０とから構成されるものである。
【００１８】  而して表面部２０は、本体１０を衣服等への取着時に視認可能となる表面側に位置するものである。そして、表面部２０には、その上面に任意のデザインが施された紙類または布類が貼付されている。また、表面部２０の外周縁部２０ａは、裏面部３０側へ指向するよう延設されている。なお、表面部２０の直径２０Ｄは裏面部３０の直径３０Ｄよりも「２０Ｄ＞３０Ｄ」となるよう少しだけ大きく形成されている。
【００１９】  裏面部３０は、本体１０を衣服等への取着時に背面側に位置するものである。また、裏面部３０は、その上面が光の反射度の極めて高い鏡面状となるよう形成されている。また、裏面部３０には、固定具５０を形成する安全ピン５４が取り付けられたクリップ５２が取着されている。さらに、裏面部３０の外周縁部３０ａは、表面部２０側へ指向するよう延設されている。
なお、本実施形態に於ける反射率は、例えば主として４５°入射の全反射率を百分率で表す材料の反射率である。例えば、一般的にアルミが７０〜７５であるのに対し、本実施形態に於ける反射率は、それ以上の数値（例えば８０〜８５）を意図するものであるが、これに限定される訳ではない。
【００２０】  側面部４０は、表面部２０と裏面部３０とが、夫々の外周部２０ａ，３０ａにて嵌合するよう一体的に接続された状態により形成されるものである。即ち、表面部２０の外周部２０ａが裏面部３０の外周部３０ａを覆い被せるようにして嵌め込まれて一体的に接続された状態に形成されている。
【００２１】  上記構成につき、その作用を以下に説明する。
【００２２】  登山時には、表面部２０を上にしてクリップ５２または安全ピン５４を介して缶バッジを衣服や登山帽に取り付けて装身具として利用することになる。
【００２３】  道に迷ったり遭難時には、衣服に取り付けた缶バッジを取り外して、缶バッジの裏面部３０を太陽光が注ぐ方向に向けて太陽光を反射させることになる。この反射光を発信することにより、第三者に対して自身の位置を知らせることが可能となるものである。
【００２４】  ここで、本実施形態の缶バッジと従来の缶バッジ（直径が７６ｍｍ及び直径が５７ｍｍの２種）との関し、光の反射についての実験結果を図３を参照して以下に説明する。
【００２５】  この実験は、両眼視力が１．５の成人（被験者）が、被験者から５０メートル、１００メートル及び２００メートル離れた地点で、太陽光の反射を肉眼で視認可能か否かを測定したものである。瞬時に明確に視認できた場合を◎、瞬時に明確という程ではないが容易に視認できた場合を○、視認はできたが容易ではなかった場合を△としてある。
【００２６】この実験結果から、被験者から１００メートル離れた地点では、本実施形態に係わる缶バッジは、反射光を瞬時に明確に視認可能であった。これに対して、直径が７６ｍｍの従来の缶バッジでは、瞬時に明確という程ではないが容易に視認できた。また、直径が５７ｍｍの従来の缶バッジでは、視認はできたが容易ではなかった、という結果であった。
【００２７】  被験者から２００メートル離れた地点では、本実施形態に係わる缶バッジは、容易に視認可能であった。これに対して、直径が７６ｍｍの従来の缶バッジでは、視認はできたが容易ではなかった。また、直径が５７ｍｍの従来の缶バッジも同様に、視認はできたが容易ではなかった、という結果であった。
【００２８】  本実験によれば、被験者からの距離が遠くなるにつれて、従来の缶バッジでは容易には視認し難い状況になることが分かる。特に、一般的に明るさは距離の２乗に反比例するという事実を考慮すると、本実施形態に係わる缶バッジは、従来のものに対して、被験者からの距離が遠くなればなる程、反射光の視認性の面で優位性が認められるものである。
【００２９】  上記実施形態によれば、遭難時や道に迷った時に、裏面部３０にて光を反射させることにより、容易に位置を知らせることが可能となる。しかも、携帯性に優れ安価に実現可能となるものである。また、上記実施形態によれば、固定具として種々のものを選択できるので、反射機能付きバッジ状装身具の利用範囲が拡がり、容易に普及することも期待できる。
さらに、本実施形態によれば従来のＧＰＳ機器やヘッドライトのようにバッテリー切れや電池切れの心配もなく、取扱い性に優れるものである。
【００３０】  なお、本考案は上記実施形態に限定される訳ではなく、例えば、固定具として、上述以外にストラップ、キーホルダー、チェーンまたはカラビナを用いても良いものである。或いは、クリップ、安全ピン、ストラップ、キーホルダー、チェーンまたはカラビナの少なくとも一つまたは組合せて用いても良いものである。
また、装身具の形状は、円形状に限らず三角形状、矩形状または多角形状であってもよく、大きさも任意の大きさにしても良い。
さらに、バッジの材質はアルミに限定される訳ではなく、裏面側が高い反射率を有する材質にしたり、高い反射率を有するシートを貼付するよう構成してもよいものである。
要は、本考案は、その要旨を逸脱しない限り、種々の変形が可能なことは勿論である。
【符号の説明】
【００３１】１０  …本体
２０  …表面部
３０  …裏面部
４０  …側面部
５０  …固定具
５２  …クリップ
５４  …安全ピン
【図１】
0003201044.tif 000003
【図２】
0003201044.tif 000004
【図３】
0003201044.tif 000005